(57)【要約】【課題】  ユーザが有効活用可能なピン数を増すことができるようにする。【解決手段】  マイクロコンピュータ１は、低消費電力モードでは入出力端子１ａに復帰指示信号が与えられると低消費電力モードから通常動作モードに復帰制御し、通常動作モードでは入出力端子１ａを通じてユーザデータを入出力制御するため、入出力端子１ａを強制復帰用途およびユーザデータ入出力用途として共用して用いることができる。【選択図】  図１
2006065643.tif 000002
【特許請求の範囲】
【請求項１】
通常動作する通常動作モード，および当該通常動作モードで通常動作する一部機能を停止することで前記通常動作モードよりも消費電力を低下する低消費電力モードを有し、
強制復帰用端子と、
低消費電力モード切替制御信号を出力する制御手段と、
前記制御手段の低消費電力モード切替制御信号に基づいて前記通常動作モードから前記低消費電力モードに切替える切替手段と、
前記低消費電力モードでは前記強制復帰用端子に復帰指示信号が与えられると当該低消費電力モードから前記通常動作モードに復帰制御する復帰手段と、
前記通常動作モードでは前記強制復帰用端子を通じてユーザデータを入出力制御する入出力制御手段とを備えたことを特徴とする半導体集積回路装置。
【請求項２】
パワーウィンドウ機器を備えた車両内に搭載され、
前記復帰手段は、車両内に設けられた操作手段から強制復帰用端子を通じて操作指示信号が与えられることにより低消費電力モードから通常動作モードに復帰制御し、
前記制御手段は通常動作モードにおいて前記パワーウィンドウ機器を制御することを特徴とする請求項１記載の半導体集積回路装置。
【発明の詳細な説明】
【技術分野】
【０００１】
本発明は、複数のモードを備えた半導体集積回路装置に関する。
【背景技術】
【０００２】
この種のマイクロコンピュータを代表とする半導体集積回路装置が、例えば特許文献１や２に開示されている。特許文献１や２に開示された半導体集積回路においては通常動作モードおよびテストモードを備えており、通常動作モードとテストモードを切替えるために専用のテストモード専用入力端子が設けられている。このような構成により、製造業者が半導体集積回路をテストする場合には半導体集積回路装置のモードを切替えてテストを行うことができる。
【０００３】
この場合、テストモードを終了させて通常動作モードで動作させるとテストモード専用入力端子が不必要となってしまう。このため、特許文献１に開示されている構成ではこのテストモード専用入力端子をテストモードで必要となる信号を入力するためのピンとして用いると共に内部回路部分から半導体集積回路の外部へデータを出力するピンとして用いている。また、特許文献２に開示されている構成では、通常動作モードにおいて使用される入力端子をテストモードに切替えるための入力端子として共用することによりテストモード専用入力端子を不要として余分の端子を排除することができる。
【特許文献１】特開平９−１６７８２８号公報
【特許文献２】特開平９−１７１０６０号公報
【発明の開示】
【発明が解決しようとする課題】
【０００４】
ところで近年、このような半導体集積回路、特にマイクロコンピュータにおいては、使用可能なピン数が限られておりユーザが有効活用可能な端子数をさらに増加させることが求められている。特にマイクロコンピュータの全ピン数を減少させるような試みがなされており、全ピン数に対してユーザが有効活用可能な端子数の割合を増加させることが望まれている。そこで、特許文献１や２の技術を適用し半導体集積回路に使用されるピン数を減少させたとしてもテストモードおよび通常動作モードで共用使用されるピンを増すことはできるものの、ユーザが有効活用可能な端子数を増すことはできない。すなわち、テストモードは一般に、製造業者が半導体集積回路装置のテストを行うために設けられているモードであり、ユーザが有効活用できるようにピン数を増すことはできない。
【０００５】
本発明は、上記事情に鑑みてなされたもので、その目的は、ユーザが有効活用可能なピン数を増すことができる半導体集積回路装置を提供することにある。
【課題を解決するための手段】
【０００６】
請求項１記載の発明によれば、通常動作モードおよび低消費電力モードを有した半導体集積回路装置において、制御手段が低消費電力モード切替制御信号を出力すると、この低消費電力モード切替制御信号に基づいて切替手段は通常動作モードから低消費電力モードに切替える。そして、復帰手段は、低消費電力モードにおいて強制復帰用端子に復帰指示信号が与えられると当該低消費電力モードから通常動作モードに復帰制御し、入出力制御手段は、通常動作モードにおいて強制復帰用端子を通じてユーザデータを入出力制御するため、強制復帰用端子を使用してユーザデータを入出力制御することができるようになり、ユーザが有効活用可能なピン数を増すことができる。
【０００７】
さらに、車両（例えば自動車）内に設けられたドアのパワーウィンドウ機器について、エンジンを停止した後もわずかの間だけパワーウィンドウを通常動作させたいという要望がある。このとき、エンジン停止後もパワーウィンドウ機器の通常動作を維持すると電流消費が大きくバッテリの消耗が激しい。逆に、パワーウィンドウ機器に対する操作入力が行われるまでシステムを停止してしまうと、操作入力から実際に動作するまでの時間がかかってしまうという問題がある。したがって、システムを停止するのではなく電流消費を抑えて低消費電力モードにした状態でシステムが待機することが望ましい。
【０００８】
すなわち、請求項２記載の発明のように、車両内に設けられたドアのパワーウィンドウ機器に請求項１記載の半導体集積回路装置を設けることで、復帰手段が、車両内に設けられた操作手段から強制復帰用端子を通じて操作指示信号が与えられることにより低消費電力モードから通常動作モードに復帰制御した後、制御手段が通常動作モードにおいてパワーウィンドウ機器を制御するため、操作入力から実際に動作するまでの時間をかけることなくパワーウィンドウ制御を行うことができるようになる。イグニッションスイッチでスイッチオンオフを行うエンジン制御などのように、強制復帰用端子を特に必要としないシステムに使用する場合には、入出力端子として強制復帰用端子を有効に活用することができるという効果をも奏する。
【発明を実施するための最良の形態】
【０００９】
以下、本発明をマイクロコンピュータに適用した一実施形態について図１を参照しながら説明する。
図１は、マイクロコンピュータ内のブロック構成を概略的に示している。
この図１において、半導体集積回路装置としてのマイクロコンピュータ１は、制御手段および切替手段並びに復帰手段としてのＣＰＵ２、ＲＯＭ３、ＲＡＭ４、入出力制御手段としての入出力制御回路５、ウェイクアップコントロール回路６、および切替スイッチ７を備えている。ＣＰＵ２は、ＲＯＭ３またはＲＡＭ４に記憶された動作用プログラムに基づいて動作するようになっている。このマイクロコンピュータ１は入出力端子１ａを備えており、当該入出力端子１ａ（強制復帰用端子、モード切替およびデータ入出力兼用端子）を通じてデータを入出力するようになっている。
【００１０】
このマイクロコンピュータ１には複数のモード（通常動作モード、低消費電力モード）が設けられており、このマイクロコンピュータ１は何れかのモードで動作する。このうち通常動作モードにおいては、マイクロコンピュータ１は、当該マイクロコンピュータ１がＲＯＭ３やＲＡＭ４に記憶されたプログラムに基づいて所定の通常動作を行うようになっている。マイクロコンピュータ１は、車両に搭載され、主にパワーウィンドウ機器（図示せず）を制御するために設けられている。このパワーウィンドウ機器は、ドア窓を自動的に開閉するために設けられており、通常動作時において操作スイッチ（操作手段に相当：図示せず）から操作指示信号が入出力端子１ａおよび入出力制御回路５を通じてＣＰＵ２に与えられると、ＣＰＵ２の制御に基づいてドア窓を開閉する。
【００１１】
低消費電力モードでは、マイクロコンピュータ１は、通常動作モードで動作する一部機能を停止することにより通常動作モード時よりも消費電力を低下させている。
具体的には、次のような事例がある。すなわち車両内に設けられたドア窓のパワーウィンドウ機器について、エンジンを停止した後も所定期間だけドア窓の制御を通常通り動作させたいという要望がある。このとき、エンジン停止後もパワーウィンドウ機器の通常動作を維持すると電流消費が大きくバッテリの消耗が激しい。逆にパワーウィンドウ機器に対する操作入力が行われるまでパワーウィンドウ機器を停止させてしまうと、操作入力から実際に動作するまでの時間を多大に要する。したがって、電流消費を抑えて低消費電力モードにした状態でＣＰＵ２を待機させることが望ましい。
【００１２】
このモード切替はＣＰＵ２が主体として行う。ＣＰＵ２が通常動作モードから低消費電力モードにモード切替えするときには、例えば操作指示信号が入出力制御回路５から与えられなくなってから所定時間経過後に低消費電力モード投入指令を発生させ切替スイッチ７に与えるようになっている。また、逆にＣＰＵ２が低消費電力モードから通常動作モードに切替えするときには、通常動作モード投入指令を発生させ切替スイッチ７に与えるようになっている。
【００１３】
切替スイッチ７は、ＣＰＵ１から通常動作モード切替制御信号が与えられると、入出力端子１ａおよび入出力制御回路５間を電気的に導通接続するように切替える。逆に切替スイッチ７は、ＣＰＵ１から低消費電力モード切替制御信号が与えられると、入出力端子１ａおよびウェイクアップコントロール回路６間を電気的に導通接続するように切替える。
入出力制御回路５は、ＣＰＵ２と外部との間に介在してデータを入出力制御する。ウェイクアップコントロール回路６は、低消費電力モードにおいて外部から入出力端子１ａを通じて強制ウェイクアップ指令信号が与えられると、ＣＰＵ２にウェイクアップ信号（復帰指示信号）を与える。また、ウェイクアップコントロール回路６は、低消費電力モードにおいて操作スイッチ（図示せず）から入出力端子１ａを通じて操作指示信号が与えられると、ＣＰＵ２にウェイクアップ信号を与える。ＣＰＵ２は、ウェイクアップコントロール回路６からウェイクアップ信号が与えられると低消費電力モードから通常動作モードにモードを切替え通常動作モードに復帰制御する。
【００１４】
以上説明したように、本実施形態によれば、低消費電力モードでは入出力端子１ａに復帰指示信号が与えられると低消費電力モードから通常動作モードに復帰制御し、通常動作モードでは入出力端子１ａを通じてユーザデータを入出力制御するため、入出力端子１ａを強制復帰用途およびユーザデータ入出力用途として共用して用いることができ、ユーザが有効活用可能なピン数を増すことができる。
【００１５】
また、操作スイッチから入出力端子１ａを通じて操作指示信号が与えられることにより通常動作モードに復帰した後に、ＣＰＵ２はパワーウィンドウ機器を制御するため、操作スイッチ（図示せず）から操作入力が与えられてから実際にパワーウィンドウ機器が動作するまでの時間をかけることなくドア窓を開閉制御することができる。
パワーウィンドウ機器を備えた車両内にマイクロコンピュータ１を搭載した実施形態を示したが、これに限定されるものではなく、低消費電力モードと通常動作モードを備えていればどのような半導体集積回路装置に適用しても良い。
【図面の簡単な説明】
【００１６】
【図１】本発明の一実施形態を示す模式的なブロック構成図
【符号の説明】
【００１７】
図面中、１はマイクロコンピュータ（半導体集積回路装置）、１ａは入出力端子（強制復帰用端子）、２はＣＰＵ（切替手段、制御手段、復帰手段）、５は入出力制御回路（入出力制御手段）、６はウェイクアップコントロール回路、７は切替スイッチを示す。
【図１】
2006065643.tif 000003